【手続補正書】
【提出日】平成19年6月28日(2007.6.28)
【手続補正１】
【補正対象書類名】明細書
【補正対象項目名】特許請求の範囲
【補正方法】変更
【補正の内容】
【特許請求の範囲】
【請求項１】
複数のマルチメディア情報を表現する方法であって、
前記マルチメディア情報に対するディスクリプタを獲得することと、
前記ディスクリプタに対する少なくとも一つのメタ・ディスクリプタを生成することと、
前記マルチメディア情報に前記少なくとも一つのメタ・ディスクリプタをアタッチすることとを有する方法。
【請求項２】
前記マルチメディア情報が、集合的に、様々なコンテンツのタイプであり、更に前記ディスクリプタのクラスタを生成することを有し、
前記メタ・ディスクリプタ生成ステップが、前記クラスタに対するメタ・ディスクリプタを生成することを有し、かつ
前記メタ・ディスクリプタ・アタッチ・ステップが、前記クラスタ内の前記ディスクリプタによって記述された前記マルチメディア情報の項目に前記クラスタに対する前記メタ・ディスクリプタを各々アタッチすることを有する請求項1に記載の方法。
【請求項３】
前記メタ・ディスクリプタ生成ステップが、その中の前記ディスクリプタの関連を示す前記クラスタの各々に対して各々のデータ要素のグループを生成することを有する請求項2に記載の方法。
【請求項４】
前記ディスクリプタの少なくともいくつかが、マルチメディアコンテンツのカテゴリに属しているマルチメディア情報の項目の機能の表現であり、前記機能が、カラー、テクスチャ、形状、およびスケッチを含む機能の順序付けられたセットを有し、かつマルチメディアコンテンツの前記カテゴリが、静止画像であり、そして
前記メタ・ディスクリプタ生成ステップが、その中の前記ディスクリプタの関連を示している前記クラスタの各々に対する各々のバイナリベクトルを生成することを有する請求項3に記載の方法。
【請求項５】
前記ディスクリプタの少なくともいくつかが、マルチメディアコンテンツのカテゴリに属しているマルチメディア情報の項目の機能の表現であり、前記機能が、カラー、テクスチャ、形状、およびスケッチを含む機能の順序付けられたセットを有し、かつマルチメディアコンテンツの前記カテゴリが、静止画像であり、そして
前記メタ・ディスクリプタ生成ステップが、その中の前記ディスクリプタに対する各々の重みを示す前記クラスタの各々に対して各々の重み値のグループを生成することを有する請求項3に記載の方法。
【請求項６】
前記ディスクリプタの少なくともいくつかが、マルチメディアコンテンツのカテゴリに属しているマルチメディア情報の項目の機能の表現であり、前記機能が、カラー、テクスチャ、形状、およびスケッチを含む機能の順序付けられたセットを有し、かつマルチメディアコンテンツの前記カテゴリが、静止画像であり、そして
前記メタ・ディスクリプタ生成ステップが、表現タイプの既定セットを有する少なくとも一つの関連機能を識別する前記クラスタの各々に対する各々の文字ストリングを生成することと、表現タイプの前記既定セットから前記表現タイプの少なくとも一つとを有する請求項3に記載の方法。
【請求項７】
前記マルチメディア情報の前記ディスクリプタにインデックスを付けることを更に有する請求項2に記載の方法。
【請求項８】
前記メタ・ディスクリプタ生成ステップが、その中に前記ディスクリプタの関連を示すデータ要素のグループを生成することを有する請求項1に記載の方法。
【請求項９】
前記ディスクリプタの少なくともいくつかが、マルチメディアコンテンツのカテゴリに属しているマルチメディア情報の項目の機能の表現であり、前記機能が、カラー、テクスチャ、形状、およびスケッチを含む機能の順序付けられたセットを有し、かつマルチメディアコンテンツの前記カテゴリが、静止画像であり、そして
前記メタ・ディスクリプタ生成ステップが、その中の前記ディスクリプタの関連を示すバイナリベクトルを生成することを有する請求項8に記載の方法。
【請求項１０】
前記ディスクリプタの少なくともいくつかが、マルチメディアコンテンツのカテゴリに属しているマルチメディア情報の項目の機能の表現であり、前記機能が、カラー、テクスチャ、形状、およびスケッチを含む機能の順序付けられたセットを有し、かつマルチメディアコンテンツの前記カテゴリが、静止画像であり、そして
前記メタ・ディスクリプタ生成ステップが、その中の前記ディスクリプタに対する重みを示す重み値のグループを生成することを有する請求項8に記載の方法。
【請求項１１】
前記ディスクリプタの少なくともいくつかが、マルチメディアコンテンツのカテゴリに属しているマルチメディア情報の項目の機能の表現であり、前記機能が、カラー、テクスチャ、形状、およびスケッチを含む機能の順序付けられたセットを有し、かつマルチメディアコンテンツの前記カテゴリが、静止画像であり、そして
前記メタ・ディスクリプタ生成ステップが、表現タイプの前記既定セットを有する少なくとも一つの関連機能を識別している文字ストリングを生成することと、表現タイプの前記既定セットから前記表現タイプの少なくとも一つとを有する請求項8に記載の方法。
【請求項１２】
照会マルチメディア情報項目を使用して、ディスクリプタによって記述された収納場所内のマルチメディア情報を検索する方法であって、
前記収納場所・ディスクリプタのメタ・ディスクリプタを獲得することと、
照会マルチメディア情報を選択することと、
少なくとも一つの照会ディスクリプタを得るために、前記メタ・ディスクリプタに基づく照会マルチメディア情報から少なくとも一つの照会ディスクリプタを抽出することと、
前記照会ディスクリプタを前記収納場所・ディスクリプタと比較することと、
前記比較ステップに従って、前記収納場所内の前記マルチメディア情報の少なくともいくつかをランク付けすることとを有する方法。
【請求項１３】
前記収納場所・ディスクリプタが、複数の異なるディスクリプタタイプのインスタンスであり、かつ
前記照会マルチメディア情報から少なくとも一つのディスクリプタを抽出する前記ステップが、複数の照会ディスクリプタを得るために前記メタ・ディスクリプタに基づく複数のディスクリプタを抽出することを有し、前記照会ディスクリプタが、各々前記ディスクリプタタイプのインスタンスであり、そして
前記比較ステップが、前記同じディスクリプタタイプを有する各々の収納場所・ディスクリプタと前記照会ディスクリプタを比較することを有する、請求項12に記載の方法。
【請求項１４】
収納場所からマルチメディア情報を検索する方法であって、
前記収納場所内の前記マルチメディア情報から収納場所・ディスクリプタを抽出することと、
前記収納場所・ディスクリプタのクラスタを生成することと、
前記収納場所内の前記マルチメディア情報に前記収納場所・ディスクリプタにインデックスを付けることと、
前記クラスタに対するメタ・ディスクリプタを生成することと、
前記クラスタ内の前記各々のマルチメディア情報に前記クラスタに対する前記メタ・ディスクリプタをアタッチすることと、
照会マルチメディア情報を選択することと、
少なくとも一つの照会ディスクリプタを得るために、前記メタ・ディスクリプタに基づく前記照会マルチメディア情報から少なくとも一つのディスクリプタを抽出することと、
前記収納場所・ディスクリプタと前記照会ディスクリプタを比較することと、
前記比較ステップに従って、前記収納場所内の前記マルチメディア情報の少なくともいくつかをランク付けすることとを有する方法。
【請求項１５】
前記収納場所・ディスクリプタが、複数の異なるディスクリプタタイプのインスタンスであり、かつ
前記照会マルチメディア情報から少なくとも一つのディスクリプタを抽出するステップが、複数の照会ディスクリプタを得るために前記メタ・ディスクリプタに基づいた複数のディスクリプタを抽出することを有し、前記照会ディスクリプタが、前記ディスクリプタタイプの各々のインスタンスであり、そして
前記比較ステップが、前記同じディスクリプタタイプを有する各々の収納場所・ディスクリプタと前記照会ディスクリプタを比較することとを有する請求項14に記載の方法。